Podtech/llm-jp-corpus-v4-ja_patent huggingface dataset:
(57)【要約】      （修正有）【課題】低コストで製造でき、且つ高級感があり、デザイン性に優れたスリッパを提供する。【解決手段】使い捨てスリッパ１は、底部と、上面側を覆う通気性を有する表皮１３と、表皮に設けられた鼻緒１５とを有する。鼻緒は、使用時に使用者の指が表皮から外側に出ない位置に設けられている。また、底部と表皮との間に芯材部が設けられている。【選択図】図１
0003198578.tif 000002
【実用新案登録請求の範囲】
【請求項１】
底部と、
上面側を覆う通気性を有する表皮と、
前記表皮に設けられた鼻緒と
有するスリッパ。
【請求項２】
前記鼻緒は、使用時に使用者の指が前記表皮から外側に出ない位置に設けられている
請求項１に記載のスリッパ。
【請求項３】
前記底部と前記表皮との間に芯材部が設けられている
請求項１に記載のスリッパ。
【考案の詳細な説明】
【技術分野】
【０００１】
本考案は、ホテル等で使用される使い捨てスリッパに関するものである。
【背景技術】
【０００２】
ホテル、旅館、サウナ、ヘルスクラブ、病院などでは備え付けの塩ビ系ビニールのものが多く使われている。これは破損しないかぎり常設されっぱなしの状態で、不特定多数の人が同じスリッパを利用することとなるため非常に不衛生である。
このような課題を解決するために、使い捨てスリッパがある。
【考案の開示】
【考案が解決しようとする課題】
【０００３】
しかしながら、従来の使い捨てスリッパは、高級感がなく、デザイン性に劣るという問題がある。
また、近年、外国人の観光客向けに和風のスリッパを提供したいという要請がある。
【０００４】
上述した従来技術の問題点を解決し、上述した目的を達成するため、本考案は、低コストで製造でき、且つ高級感があり、デザイン性に優れたスリッパを提供することを目的とする。
また、本考案は、低コストで製造できる和風のスリッパを提供することを目的とする。
【課題を解決するための手段】
【０００５】
上述した従来技術の問題点を解決し、上述した目的を達成するために本考案のスリッパは、底部と、上面側を覆う通気性を有する表皮と、前記表皮に設けられた鼻緒と有する。
【０００６】
好適には、本考案のスリッパの前記鼻緒は、使用時に使用者の指が前記表皮から外側に出ない位置に設けられている。
【０００７】
好適には、本考案のスリッパは、前記底部と前記表皮との間に芯材部が設けられている。
【考案の効果】
【０００８】
本考案によれば、低コストで製造でき、且つ高級感があり、デザイン性に優れたスリッパを提供できる。
また、本考案によれば、低コストで製造できる和風のスリッパを提供できる。
【図面の簡単な説明】
【０００９】
【図１】図１は、本考案の実施形態に係るスリッパの表皮側の外観図である。
【図２】図２は、本考案の実施形態に係るスリッパの底部の外観図である。
【考案を実施するための最良の形態】
【００１０】
以下、本考案の実施形態に係る使い捨てスリッパを、図面を参照しながら説明する。
本実施形態の使い捨てスリッパは鼻緒を備えていることが特徴である。
【００１１】
図１は、本考案の実施形態に係るスリッパ１の表皮側の外観図である。
図２は、図１に示すスリッパ１の底部の外観図である。
図１及び図２に示すように、スリッパ１は、底部１１と、上面側を覆う通気性を有する表皮１３と、表皮１３に設けられた鼻緒１５とを有する。
【００１２】
鼻緒１５は、使用時に使用者の指が表皮１３から外側に出ない位置に設けられている。
底部１１と表皮１３との間に芯材部（図示せず）が設けられている。
【００１３】
底部１１の踵側に、踵部芯としてクッション材が挿入されている。
また、表皮１３としては、綿素材による布地を使用したもので、足の甲部と接触する鼻緒１５の素材も表皮１３と同じ布地を使用したものである。
【００１４】
表示１３及び鼻緒１５の素材としては、履き心地重視、放湿性重視、豪華さ重視、カラー重視等の用途に応じて、「綿素材」、「混紡素材」および「ポリエステル素材」を選択してもよい。
【００１５】
本実施形態のスリッパ１によれば、鼻緒１５を設けたことで、和風及び高級感を出すことができる。
また、スリッパ１は、簡単な構成であるため、比較的安いコストで製造でき、使い捨てとして提供できる。
また、スリッパ１は、表皮１３の素材としては、綿素材による布地を使用しため、風呂あがりの足の濡れた状態で履いても水分を早く透過でき、足の裏に不快なべと付感がない。
【００１６】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００１７】
例えば、足底１１、表皮１３及び鼻緒１５の形状及び模様は任意である。
【産業上の利用可能性】
【００１８】
本考案は、例えば、使い捨てスリッパに適用可能である。
【符号の説明】
【００１９】
１…スリッパ
１１…底部
１３…表皮
１５…鼻緒
【図１】
0003198578.tif 000003
【図２】
0003198578.tif 000004
(57)【要約】      （修正有）【課題】装着したまま排泄行為が可能な衝撃吸収パンツを提供する。【解決手段】パンツの外尿道口と肛門部がある股間部を開放する事により、装着したまま排泄行為が可能となる。【選択図】図１
0003198515.tif 000002
【実用新案登録請求の範囲】
【請求項１】
股間部が開放している衝撃吸収パンツ
【考案の詳細な説明】
【技術分野】
【０００１】  本考案は、転倒時の衝撃を吸収するために装着するものである。
【背景技術】
【０００２】  従来、装着したまま排泄行為が可能な衝撃吸収パンツはなかった。
【考案の概要】
【考案が解決しようとする課題】
【０００３】  従来の衝撃吸収パンツは、下着の上に装着するため排泄行為毎に着脱しなければいけない。しかし密着していること、両脇に衝撃吸収パットが付いていることより、着脱が困難であるという難点があった。本考案はこの課題を解消するためになされたものである。
【課題を解決するための手段】
【０００４】  衝撃吸収パンツの外尿道口と肛門がある股間部を開放することで、装着したまま排泄行為が可能となった。
【考案の効果】
【０００５】  よって、入浴等以外の日常生活時において常時装着が可能となる。また、本考案の上から下着を着用することにより、排泄行為毎の着脱の不便さを解消することができる。
【図面の簡単な説明】
【０００６】
【図１】  本考案の正面図である。
【図２】  従来の衝撃吸収パンツの正面図である。
【符号の説明】
【０００７】  １        前開放部口
２        後開放部口
３        衝撃吸収パット内装部
【図１】
0003198515.tif 000003
【図２】
0003198515.tif 000004
(57)【要約】      （修正有）【課題】効率の良い英語学習のための英語の学習ノートを提供する。【解決手段】ノートの任意のページを見開きにした状態において、左ページ４に上から順に２本は青線２ａ、２ｂ、３本目は赤線３、４本目は青線２ｃからなる一組の四線譜１を、約５ｍｍ〜１０ｍｍの均等な間隔を置いて十数段設け、右ページには、普通の大学ノートの様な等間隔の罫線６を約３５〜４０本設けたことを特徴とする。【選択図】図１
0003198530.tif 000002
【実用新案登録請求の範囲】
【請求項１】
ノートの任意のページを見開きにした状態において、左ページに、上から順に２本は青線、３本目は赤線、４本目は青線からなる一組の四線譜を、約５ｍｍ〜１０ｍｍの均等な間隔を置いて十数段設け、右ページには、普通の大学ノートの様な等間隔の標準的な横罫線を約３５〜４０本設けたことを特徴とする英語の学習ノート。
【考案の詳細な説明】
【技術分野】
【０００１】  本考案は、ノートの任意のページを見開きにした状態において、左ページに、上から順に２本は青線、３本目は赤線、４本目は青線からなる一組の四線譜を、約５ｍｍ〜１０ｍｍの均等な間隔を置いて十数段設け、右ページには、普通の大学ノート様の等間隔の標準的な横罫線を約３５〜４０本設けた英語の学習ノートに関するものである。
【背景技術】
【０００２】  従来の英語の学習ノートは、すべてのページが４本の罫線（上から３本目は、他の３本とは異なる色）を一組とする複数組が、一定の均等な間隔で平行に配列される形で構成されていた。
ノートの見開き状態において、左ページに、教科書の本文と同じ英文、もしくは、精選された英文を印刷し、右ページに標準的横罫線入りの筆記面を設けた「英文掲載済の和訳ノート」等も知られている（特許文献１参照）。
【先行技術文献】
【特許文献】
【０００３】
【特許文献１】  実開平６−４０９７３号公報
【考案の概要】
【考案が解決しようとする課題】
【０００４】  そのために次のような問題があった。
従来の英語の学習ノートは、４本からなる罫線上に英文を書き、そのすぐ真下の余白に和訳を書いたり、また、見開きの左ページに英文を書き、その右ページの４本罫線上に和訳を書いていた。
しかし、書いた英文の下に和訳が書ききれなくなったり、４本罫線に和訳が書きづらかったりした。
また、参照文献１においては、左ページに英文が掲載されているが、これは英文を書き写す時間の節約や労力の軽減になり、ある程度の英語の学習を積み重ねた人が、読解力の強化のためには有効であるが、これから英語の学習を始める初級者には、不向きである。
まず、アルファベットを書き写し、大文字と小文字の区別、単語の中における各アルファベットの配置等を認識するためにも、四線譜上に自ら英文を書き写すことで、英語文字の構造を知る必要がある。
これは、英語の学習の基本である。
英語の学習が小学校から義務化されるにあたり、読む、話す、書く力をつけるためにも、基礎を丁寧に積み重ねる必要がある。
本考案は、以上の問題点を解決するためになされたものである。
【課題を解決するための手段】
【０００５】  ノートの任意のページを見開きにした状態において、左ページには、上から順に２本は青線、３本目は赤線、４本目は青線からなる一組の四線譜を、約５ｍｍ〜１０ｍｍの均等な間隔を置いて十数段設け、右ページには、普通の大学ノートの様な等間隔の横罫線を約３５〜４０本設ける。
以上の構成よりなる英語の学習ノートである。
【考案の効果】
【０００６】  従来の英語の学習ノートと違い、英文用、和文用のそれぞれの用途に適した罫線を用い、左ページには、英文、右ページには、和文を分けたことで書きやすく整理され見やすくなった。
従来は、英文の下に和訳を書いたり、英文用罫線上に和訳を書いていたので、見にくく、書きにくく、乱雑で混沌としたノートであったが、左ページに英文を書き、その横のページに和訳を書くことで、ページ毎に、同一言語の統一がはかられて見やすく、書きやすくなった。
また、あらかじめ、英文和訳をして授業を受けた場合も、自分の和訳と先生の和訳の相違を確認しやすく、相違があった場合は、自分の和訳を残したまま、ノートの余白部分に先生の和訳を記入することで、ミスの再発防止をすることができる様になった。
左ページと右ページに英文、和文を分けたノートは、片一方のページを隠すことで、たとえば、英文を隠した場合は、和文英訳が、和訳を隠した場合は、英文和訳がしやすくなった。
正解を隠すことで、現段階の自分の実力を知ることができ、答え合わせをするときも正解がすぐ横のページに対になってあるので、確認しやすくなった。
単語の発音記号やアクセント、重要構文を書いたり、授業の板書等も書き込みやすくなった。
このノートは、予習、復習もしやすく、英語の学習に必要な反復学習をするのにとても適したものであった。
このノート一冊で、教科書、参考書及び解答集がひとつになり、さらに、授業での板書や先生の口頭でのワンポイント等が書き込めるので、自分だけのオリジナル試験対策ノートとしての機能も兼ね備えることになった。
【図面の簡単な説明】
【０００７】
【図１】  本考案の平面図である。
【図２】  本考案の一部である四線譜の一部拡大図である。
【考案を実施するための形態】
【０００８】  以下、本考案の実施の形態について説明する。
ノートの任意のページを見開きにした状態において、左ページ（４）に、上から順に２本は青線（２ａ、２ｂ）、３本目は赤線（３）、４本目は青線（２ｃ）からなる一組の四線譜（１）を、約５ｍｍ〜１０ｍｍの均等な間隔を置いて十数段設け、右ページ（５）には、普通の大学ノートの様な等間隔の標準的な横罫線（６）を約３５〜４０本設ける。
本考案は以上のような構造である。
本考案を使用するときは、左ページ（４）の四線譜（１）に英文を書き、右ページ（５）には、左ページ（４）の英文のほぼ真横辺の横罫線（６）上に対訳的に和文を書く。
英文と和訳文を左右対に分けて整理されるので、書きやすく且つ読みやすくなる。
右ページ（５）の余白は、授業の板書等を書き込むスペースとして使用する。
復習するときには、左ページ（４）の英文を隠し、右ページ（５）の和訳を利用し、英文を書き起こす和文英訳や、反対に右ページ（５）の和訳を隠し、左ページ（４）の英文を利用し、和訳文を書き起こす英文和訳の反復学習用として使用すれば、効果的である。
さらに、左ページ（４）の四線譜（１）に英単語、イデオム及び重要構文等の英文を書き、右ページ（５）に対になるように罫線（６）を利用し、英単語の意味、発音記号、アクセント及び訳を書く。
斯様に、このノート一冊で、教科書、参考書、問題集、教師の板書やワンポイントレッスン等を一括り整理した受験対策用のノートの役割を担うこともできる。
【符号の説明】
【０００９】１  四線譜
２  青線
２ａ  青線
２ｂ  青線
２ｃ  青線
３  赤線
４  左ページ
５  右ページ
６  横罫線
【図１】
0003198530.tif 000003
【図２】
0003198530.tif 000004
(57)【要約】      （修正有）【課題】９０°支管取付け時、作業者の態勢不良の状態、湧き上がる地下水と周辺の崩れ落ちる土砂等の厳しい条件下でも、接着剤での固定を補助する番線の巻き付けが短時間でできる下水道取付管工事用番線通しを提供する。【解決手段】掘削穴内の悪環境の中でも、簡単に番線５を下水道本管１に巻き付けるための補助具である番線通し４において、鉄製の棒状を湾曲し、先端Ａに穴を設け、末端に持ち手の柄Ｂを付けたことを特徴とする。【選択図】図３
0003198532.tif 000002
【実用新案登録請求の範囲】
【請求項１】
下水道本管の穿孔穴に９０°支管を取付ける際に、９０°支管を接着剤での固定を補助するために巻き付ける番線の巻き付けの補助具であり鉄製の棒状で湾曲した番線通しにおいて、番線通しの先端部に穴を設け、他端部に持ち手の柄部を付けたことを特徴とする下水道取付管工事用番線通し。
【考案の詳細な説明】
【技術分野】
【０００１】  本考案は、下水道取付管工事で、９０°支管設置時に固定部材として接着剤等を使用し、番線を管に巻き付けて硬化するまで補助するが、その際に掘削穴内の悪環境のなかでも、番線通しの湾曲した形により短時間で簡単に番線を通すことができる。
【背景技術】
【０００２】  下水道取付管工事は、道路等を掘削した穴内での工事のため、地下水の湧きだしや周辺土砂の崩れ落ち等環境面の問題と作業者の体勢不良等厳しい条件の中で番線固定作業を行う為、短時間での巻き付け等の作業を行うことが困難である。
【先行技術文献】
【特許文献】
【０００３】
【考案の概要】
【考案が解決しようとする課題】
【０００４】  下水道取付管工事において、９０°支管取付け時、固定部材として接着剤等を使用する。その際、接着剤が硬化するまで番線を巻き付け補助するのだが、体勢不良の状態にある掘削穴内で、湧き上がる地下水と周辺の崩れ落ちる土砂等により、固定部材を補助する番線の巻き付けにかなりの時間を要する。【０００５】  そこで、考案者は、掘削穴内の悪環境の中でも、簡単に番線を巻き付ける為に、番線通しを考案した。管に沿ってＡから下を通すことにより、番線を管の対面側に簡単に通すことができ、悪環境の中でも短時間で巻き付けが可能になる、番線通しを提供する。
【課題を解決するための手段】
【０００６】  前記の通り悪環境下で簡単に短時間で番線を管の下に通し巻き付けるため、本考案の番線通しは、番線通しＡに番線をひっかけ、湾曲した本体が効果的に管に沿って下を通すことができる。
【考案の効果】
【０００７】  上記の番線通しを使用することにより、従来より短時間で番線を管に巻き付けることができる。
【図面の簡単な説明】
【０００８】
【図１】本考案の実施の形態を示す斜視図。
【図２】番線通しを下水道の下を通し番線をひっかけた状態を示す説明図。
【図３】番線通しを用いて番線を巻き付ける状態を示す説明図。
【図４】（ａ）９０°支管を下水道管に取付け、番線を巻き付けた状態を示す図。（ｂ）は９０°支管の裏面を示す図。
【図５】下水道管に番線通しを用いて番線を巻き付ける状態を示す断面図。
【図６】（ａ）番線通しを示す平面図。（ｂ）番線通しＡ部拡大図。
【考案を実施するための形態】
【実施例】
【０００９】  本実施例に係る番線通しについて、図面を参照しながら説明する。下水道本管１に穿孔穴２を所定の角度であけ、番線通し４の先端部Ａに設けた穴６に番線５を通し、番線５を通した状態で番線通し４を引き戻す。下水道本管１の穿孔穴２の上部に９０°支管３の裏面部に接着剤を塗布後に取り付け固定する。番線通し４に通した番線５を９０°支管３の上面で結束する。【００１０】  以上、本実施例の番線通し４の先端部Ａには番線５を通す穴６を有し、鉄製で直径３０〜５０ｃｍで湾曲加工を施した湾曲部Ｃと番線通し４の他端部に柄部Ｂを設け、下水道管１に沿って番線通し４を下水道管１の下を通して柄部Ｂを引き戻し、下水道本管１に番線５を巻き付け、番線５結束して下水道本管１に番線５を締め付ける。【００１１】  本考案番線通し４なる物は、鉄製で、棒状で湾曲したものになり、前述の番線通し４は、下水道取付管工事の９０°支管３の設置時に使用され、設置前に先行して、湾曲部Ｃを下水道本管１に沿って下を通す。
【符号の説明】
【００１３】１  下水道本管
２  穿孔穴
３  ９０°支管
４  番線通し
５  番線
６  穴
Ａ  番線通し先端
Ｂ  番線通し柄
Ｃ  湾曲部
【図１】
0003198532.tif 000003
【図２】
0003198532.tif 000004
【図３】
0003198532.tif 000005
【図４】
0003198532.tif 000006
【図５】
0003198532.tif 000007
【図６】
0003198532.tif 000008
(57)【要約】      （修正有）【課題】保冷剤の内容量を変えることなく封入している外装ビニール素材の放熱部面を減少させることで放熱を押さえ、保冷効果維持を長時間にする保冷剤を提供する。【解決手段】保冷液状体３を封入する保冷剤外装２の一部面を断熱効果のある断熱シート１で被うことで放熱に方向性を持たせると共に放熱部分の面積を減少させる。外気温に接触する側を保冷剤の断熱シート面にすることで簡易でかつ軽量な形状で保冷効果を長時間化できる。【選択図】図２
0003198536.tif 000002
【実用新案登録請求の範囲】
【請求項１】
保冷液状体を封入する保冷剤の外装の一部の面を断熱効果のある断熱シートで被うようにしたことを特徴とする保冷剤。
【考案の詳細な説明】
【技術分野】
【０００１】      本考案は保冷液状体を増やすことなく、長時間保冷効果維持を可能にする保冷剤に関する。
【背景技術】
【０００２】      従来の保冷剤の外装は全部面同じビニール素材などを使用し、中の保冷液状体の量を変えることで保冷持続時間を調整することが知られている。
【考案の概要】
【考案が解決しようとする課題】
【０００３】      保冷剤の内容量を増やすことで保冷持続時間を長くしていた保冷剤を、内容量を変えることなく封入している外装ビニール素材の放熱部面を減少させることで放熱を押さえ、保冷効果維持を長時間にする保冷剤を提供することを目的とする。
【課題を解決するための手段】
【０００４】      上記課題を解決するために本考案は、保冷液状体を封入する保冷剤の外装の一部の面を断熱効果のある断熱シートで被うようにしたことを特徴とする。
【考案の効果】
【０００５】      上記のように本考案により、保冷液状体を封入する保冷剤外装の一部面を断熱効果のある断熱シートで被うことで放熱に方向性を持たせると共に放熱部分の面積を減少させることにより、保冷剤使用時において他の断熱容器への収納や、保冷液状体を増やすことなく、外気温に接触する側を上記保冷剤の断熱シート面にすることで簡易でかつ軽量な形状で保冷効果維持が長時間化できることを特徴とする。
【図面の簡単な説明】
【０００６】
【図１】  本考案の第一の実施例形態の保冷剤を示す斜視図。
【図２】  第一の実施例形態の保冷剤を示す断面図。
【図３】  本考案の第二の実施例形態の斜視断面図。
【考案を実施するための形態】
【０００７】      以下本考案の実施の形態を図面に基づいて説明する。
図１により本考案の保冷剤は３の保冷液状体を封入するために、その外装を１の断熱シートと２の外装ビニール素材で構成されるものである。
【０００８】      その形状は図２に示すように、片面を１の断熱シートと他の片面を２の外装ビニール素材で合せ、その周辺を４の密接シール処理により３の保冷液状体を封入する。
【０００９】      図３の斜視断面図は他の実施例である。３の保冷液状体を２の外装ビニール素材を折り、合わさる３辺を４の密接シール処理により封入した保冷剤の一部面を、５の接着剤を用い１の断熱シートを貼ることで片面を断熱状態にし、熱を断熱シートとは反対の方向に逃がすようにしたものである。
【実施例】
【００１０】      上記形態により封入された３の保冷液状体はその放熱を１の断熱シートにより妨げられ、他方向だけへの放熱になり保冷効果維持を高めることになる。
【産業上の利用可能性】
【００１１】      密閉された容器内での保冷剤の使用方法を、放熱に方向性を持ち保冷効果維持が長時間になることで、外気温に直接触れる場合などその使用範囲の拡大が見込まれる。
【符号の説明】
【００１２】      １：断熱シート
２：外装ビニール素材
３：保冷液状体
４：密接シール部
５：接着剤
【図１】
0003198536.tif 000003
【図２】
0003198536.tif 000004
【図３】
0003198536.tif 000005
(57)【要約】      （修正有）【課題】適度な通気性と耐水性をもつ不織布を使って、更に装填物の左右位置と数を任意に選べかつ、簡単に、仮固定でき、更に、総体が舟形で顔面に馴染む形状構造を有したマスクを提供する。【解決手段】不織布で構成されたマスクで、総体が船底状を成し、掛けゴム紐により、両耳又は首の背に掛けたとき、顔面に馴染み、周囲の何処にも浮き隙間が出来ない構造を有する。【選択図】図３
0003198533.tif 000002
【実用新案登録請求の範囲】
【請求項１】
不織布などで構成されたマスクで  総体が船底状を成し  掛けゴム紐により  両耳又は首の背に掛けたとき  顔面に馴染み  周囲の何処にも浮き隙間が出来ず、裏面上下中央部に左右連通ポケットを設える構造。
【考案の詳細な説明】
【技術分野】
【０００１】  従来この用途のマスクは  その本体が多層構造な故  その層間に他物を装填する場合に、装填される芳香・湿分・薬剤の位置が固定し、それが鼻梁の真上下など、不具合だった。また  方形四隅から留め紐を出す仕様は  左右での上下辺に弛みを起こし易く  不都合でそれらを改善する為に  舟形とした。
【背景技術】
【０００２】  多層構造の所定位置にポケットを設え、需要に合わせ装填物を選択し、左右希望位置に装填する。装填も鼻腔の状況に合わせ芳香・湿分・薬剤など左右異種の場合も有り得る。
【考案が解決しようとする課題】
【０００３】  単一なマスクが  装填物の有無、装填物の使途など如何様にも使い勝手が良いように多目的な構造とする。
【課題を解決するための手段】
【０００４】  不織布等  通気・寸法安定性の良い多層構造とし、所定の位置に広大なポケットを造り、別途  ポケット寸法に合わせ各種薬剤（錠剤、粉剤、液剤や、通気性袋詰め等）を用意する。
【考案の効果】
【０００５】  このポケット付きマスクを一つ用意すれば多目的に使え、各目的にあわせ薬剤を用意し、必要に応じ組み合わせて使えば、非常時備品としても有効である。
【考案を実施するための最良の形態】
【０００６】  通気性・耐湿性不織布による多層構造の  その上下縁を上下中央付近へ設え  その上下の縁を捲り開いて薬包を装填する。その位置は任意であり、装填物は半ば固定される。
【実施例１】
【０００７】  装填物として錠剤、粉剤、液剤、薬葉片、脱脂綿片その他を備える。
【産業上の利用可能性】
【０００８】  家庭用マスクとしてのみでなく  産業用悪環境用防具としても有効である。
【図面の簡単な説明】
【０００９】
【図１】不織布など  多層構造のマスク原布加工途中図。
【図２】ポケット付きマスク  接顔面図。
【図３】ポケット付きマスク  薬剤装填図。
【符号の説明】
【００１０】  １  通気性耐水性不織布基材
２  マスク加工の熔接縫合線
３  ポケット用布地の折返し上縁
４  ポケット用布地の折返し下縁
【図１】
0003198533.tif 000003
【図２】
0003198533.tif 000004
【図３】
0003198533.tif 000005
【手続補正書】
【提出日】平成27年4月27日(2015.4.27)
【手続補正１】
【補正対象書類名】実用新案登録請求の範囲
【補正対象項目名】全文
【補正方法】変更
【補正の内容】
【実用新案登録請求の範囲】
【請求項１】
不織布などで構成されたマスクで  総体が船底状を成し  掛けゴム紐により両耳または首の背に掛けたとき  周囲の何処にも  浮き隙間が出来ず  顔面に馴染む構造。
【手続補正２】
【補正対象書類名】明細書
【補正対象項目名】全文
【補正方法】変更
【補正の内容】
【考案の詳細な説明】
【背景技術】
【０００１】  多層構造の所定位置へ  需要に合わせ装填物を選択し、左右希望位置に装填する。装填も鼻腔の状況に合わせ  芳香・湿分・薬剤など左右異質な場合もある。
【課題を解決するための手段】
【０００２】  不織布等  通気・寸法安定性の良い多層構造とし、総体を恰も船底形とする。
【考案の効果】
【０００３】  このマスクを一つ用意すれば多目的に使え、必要に応じ用意した薬剤と組み合わせ、非常用備品としても有効である。
【考案を実施するための最良の形態】
【０００４】  通気性・耐湿性不織布による多層構造のその上下縁を使用時上下に展開し  顔面に被せ、その周辺が  何処も顔面との間に隙間が無いこと。
【図面の簡単な説明】
【０００５】
【図１】原布加工途中図
【図２】マスク接顔面加工途中図
【図３】マスク船底形加工の圧熔接縫合線図
【図４】マスク使用時展開状態図
【手続補正３】
【補正対象書類名】図面
【補正対象項目名】全図
【補正方法】変更
【補正の内容】
【図１】
0003198533.tif 000006
【図２】
0003198533.tif 000007
【図３】
0003198533.tif 000008
【図４】
0003198533.tif 000009
(57)【要約】      （修正有）【課題】水道管などの凍結防止に使用される柔軟で弾力性のある発泡性プラスチックカバーを使用して枕の中材を作り、これを袋カバーで覆って快適な安眠が得られる枕を提供する。【解決手段】長さ方向に背割れ溝２を設け柔軟で弾力性のある発泡プラスチックパイプを所要長に切断してパイプ状中芯１を構成し、この切断した一方のパイプ状中芯１の背割れ溝２には他のパイプ状中芯１の背割れ溝２の端部を挿入噛み合わせて中材３を構成し、この中材３を袋カバー４で覆って枕５を構成し、又この中材３全体を更に背割れ溝２を設け柔軟で弾力性のある発泡プラスチック製の太パイプ状中芯で覆って中材３とし、この中材３を袋カバー４で覆って枕５とするものである。【選択図】図１
0003198933.tif 000002
【実用新案登録請求の範囲】
【請求項１】
長さ方向に背割れ溝を設け柔軟で弾力性のある発泡プラスチックパイプを所要長に切断してパイプ状中芯を構成し、この切断した一方のパイプ状中芯の背割れ溝には他のパイプ状中芯の背割れ溝の端部を挿入噛み合わせてなる枕の中材。
【請求項２】
請求項１の中材全体を更に背割れ溝を設け柔軟で弾力性のある発泡プラスチック製の太パイプ状中芯で覆った枕の中材。
【考案の詳細な説明】
【技術分野】
【０００１】
本考案は、人の寝るときに使用する枕の中材の改良に関する。
【背景技術】
【０００２】
従来枕の中材としては、袋カバーの中にそば殻やもみ殻、筒形、丸型などのプラスチック成型品からなる粒状体、発泡プラスチック一体型製品等があるが、いずれも柔らかさ、首筋の押圧とかに満足なものが得られず安眠の状態が得られないことが多い。
【考案の開示】
【考案が解決しようとする課題】
【０００３】
そこで本考案は、水道管などの凍結防止に使用される柔軟で弾力性のある発泡性プラスチックカバーを使用して枕の中材を作り、これを袋カバーで覆って快適な安眠が得られる枕を提供しようとするものである。
【課題を解決するための手段】
【０００４】
長さ方向に背割れ溝を設け柔軟で弾力性のある発泡プラスチックパイプを所要長に切断してパイプ状中芯を構成し、この切断した一方のパイプ状中芯の背割れ溝には他のパイプ状中芯の背割れ溝の端部を挿入噛み合わせて中材を構成し、この中材を袋カバーで覆って枕を構成する。
又この中材全体を更に背割れ溝を設け柔軟で弾力性のある発泡プラスチック製の太パイプ状中芯で覆って中材とし、この中材をカバーで覆って枕とする。
【考案の効果】
【０００５】
本考案の効果として、背割れ溝同志を噛み合わせるのみの簡単な作業で中材を作ることができ、かつパイプも柔らかさや硬さの違うものを用意しこれらを組み合わせることにより使用者の好みに応じた硬さ、柔らかさ等どの枕が得られ、更にはパイプ状中芯を増やしたり、より太いパイプ状中芯を用意して使用すればより多くの使用者の好みに容易に対応することができる。
【実施例】
【０００６】
本案を図示の実施例により詳記すると、長さ方向に背割れ溝２を設け柔軟で弾力性のある発泡プラスチックパイプを所要長に切断してパイプ状中芯１を構成するが、
このパイプ状中芯１としては、凡そ外径の直径が５・５ｃｍ、内径の直径が３・５ｃｍの水道管凍結防止用として使用される背割れの発泡プラスチックパイプを３５ｃｍ位に切断して使用するとよい。この切断した一方のパイプ状中芯１の背割れ溝２には他のパイプ状中芯１の背割れ溝２の端部を挿入噛み合わせて中材３を構成し、この中材３を袋カバー４(二点鎖線)で覆って枕５を構成する。
この中材３全体を更に背割れ溝２を設け柔軟で弾力性のある発泡プラスチック製の太パイプ状中芯１’で覆って中材３とし、この中材３を袋カバー４で覆って枕５とすればより太い(高い)枕となる。
枕５とするには袋カバー４の中に中材３を圧縮しながら入れて固定すればよい。パイプ状中芯1，1…同志の噛み合わせ或いは太パイプ状中芯１’が解れて作業しにくい場合は噛み合わせが解れないよう接着テープ６(図１ではに点鎖線)や図示しない紐など縛って解れを止めれば作業がしやすい。パイプ状中芯１、太パイプ状中芯１’として水道管凍結防止用の背割れ発泡プラスチックパイプを使用したが、その他のものでもよい。
【図面の簡単な説明】
【０００７】
【図１】本考案に係る枕の中材の断面説明図
【図２】他実施例に係る枕の中材の断面説明図
【符号の説明】
【０００８】
１：パイプ状中芯
１’：太パイプ状中芯
２：背割れ溝
３：中材
４：袋カバー
５：枕
６：接着テープ
【図１】
0003198933.tif 000003
【図２】
0003198933.tif 000004
(57)【要約】      （修正有）【課題】外部から一見してアルミ蒸着の施された生地を使用していることが分かるようにして商品価値を高めた敷きパッドを提供する。【解決手段】起毛地からなる表地２と中綿材３とアルミ蒸着が施されたアルミ蒸着布帛５とを順次積層しキルティングを施してなり、アルミ蒸着布帛５は少なくとも底面７となる外面側にアルミ蒸着が施されている。中綿材３とアルミ蒸着布帛５との間に薄生地４を介在させることができる。敷きパッド本体の底面７の四隅に弾性材からなる帯状体を隣接する二辺にわたって斜めに取付けることができる。【選択図】図２
0003198961.tif 000002
【実用新案登録請求の範囲】
【請求項１】
起毛地からなる表地と中綿材とアルミ蒸着が施されたアルミ蒸着布帛とを順次積層しキルティングを施してなり、前記アルミ蒸着布帛は少なくとも底面となる外面側にアルミ蒸着が施されていることを特徴とする敷きパッド。
【請求項２】
中綿材とアルミ蒸着布帛との間に薄生地を介在させた請求項１に記載の敷きパッド。
【請求項３】
敷きパッド本体の底面の四隅に弾性材からなる帯状体を隣接する二辺にわたって斜めに取付けた請求項１又は２に記載の敷きパッド。
【考案の詳細な説明】
【技術分野】
【０００１】
本考案は、アルミ蒸着が施された布帛を用いて保温力を高めた敷きパッドに関する。
【背景技術】
【０００２】
従来、縫製加工が容易で、保温効果のある敷きパッドとして、表裏面を構成する２枚のシート状の生地を有し、このシート状の生地のうち少なくとも一方の内側面に、アルミニウムを蒸着させたものが知られている（特許文献１）。蒸着したアルミニウムにより保温性を確保するようにしたものである。
【０００３】
しかし、このものは、シート状の生地の内側面にアルミ蒸着したものであるため、アルミ蒸着が施されていることが一見して外部からは分からない。
【先行技術文献】
【特許文献】
【０００４】
【特許文献１】実用新案登録第３１８０１４０号公報
【考案の概要】
【考案が解決しようとする課題】
【０００５】
そこで、本考案は、外部から一見してアルミ蒸着の施された生地を使用していることが分かるようにして商品価値を高めた敷きパッドを提供することを目的とする。
【課題を解決するための手段】
【０００６】
上記の課題を解決するために、請求項１に係る敷きパッドは、起毛地からなる表地と中綿材とアルミ蒸着が施されたアルミ蒸着布帛とを順次積層しキルティングを施してなり、前記アルミ蒸着布帛は少なくとも底面となる外面側にアルミ蒸着が施されていること、を特徴としている。
請求項２に係る敷きパッドは、中綿材とアルミ蒸着布帛との間に薄生地を介在させたものである。
請求項３に係る敷きパッドは、敷きパッド本体の底面の四隅に弾性材からなる帯状体を隣接する二辺にわたって斜めに取付けたものである。
【考案の効果】
【０００７】
請求項１に係る敷きパッドによれば、アルミ蒸着したアルミ蒸着布帛により体温が反射されて保温力が高まり、しかも、アルミ蒸着布帛は少なくとも底面となる外面側にアルミ蒸着が施されているので、底面側から見れば、一見してアルミ蒸着が施された布帛であることが分かり、商品価値が高まる。
請求項２に係る敷きパッドによれば、中綿材とアルミ蒸着布帛との間に薄生地を介在させたので、中綿材から綿毛（繊維）が抜けても薄生地により脱毛を防止できる。
請求項３に係る敷きパッドによれば、敷きパッド本体の底面の四隅に弾性材からなる帯状体を隣接する二辺にわたって斜めに取付けたので、敷き布団やベッドのマットレスへの取付けが簡単に行えるとともに、使用中に布団やマットレスから敷きパッドがずれることを防止できる。
【図面の簡単な説明】
【０００８】
【図１】本考案の実施例による敷きパッドの斜視図である。
【図２】実施例による敷きパッドの積層の様子を示す分解斜視図である。
【図３】実施例による敷きパッドの断面図である。
【図４】実施例による敷きパッドの底面図である。
【考案を実施するための形態】
【０００９】
以下、本考案の実施例を図面に基づいて具体的に説明する。本考案の実施例による敷きパッド１は、起毛地からなる表地２と、中綿材３と、薄手の薄生地４と、アルミ蒸着が施されたアルミ蒸着布帛５と、を順次積層し（重ね合わせ）、格子状にキルティング６を施してなるものである。そして、アルミ蒸着布帛５は、少なくとも底面７となる外面側にアルミニウムが蒸着されたものである。
【００１０】
図においては、起毛地は、基布２ａの片面側（外面側）に起毛（２ｂ）処理が施された片面起毛のものを示したが、両面起毛地を用いてもよい。起毛地を用いているので、保温効果が高く、寒い冬場用に適している。
【００１１】
中綿材３は、パッド材のクッション性や保温性を高めるものである。用途に応じて中綿材３の材質や厚さを適宜設定する。
【００１２】
中綿材３の下面に配置される薄生地４は、中綿材３の繊維が抜け出すことを防止するもので、必要に応じて配置され、平織の布帛や不織布のようなものでもよい。図２においては、薄生地４として不織布を用いたものを示した。中綿材３から繊維が抜け出すことがなければ、省略することもできる。
【００１３】
アルミ蒸着布帛５は、両面にアルミ蒸着が施されたものでもよいが、少なくとも底面７となる外面側にアルミ蒸着が施されたものである。従って、外部（底面７側）から一見してアルミ蒸着が施されていることが分かり、敷きパッド１の商品価値が高まることになる。なお、アルミ蒸着布帛５は、平織の布帛、網状のメッシュ布でもよい。
また、アルミ蒸着布帛５により、体温からの熱８が反射され、敷きパッド１の外側に熱が逃げるのを抑制することができる（図２）。このため、保温効果をより高めることができる。
【００１４】
上記の表地２、中綿材３、薄生地４、アルミ蒸着布帛５を順次積層し、キルティング６を施すことにより、パッド材を構成する各層が一体化する。このため、使用中に中綿がずれたりすることもなく快適に使用でき、また、洗濯をしても各層がずれたり偏ったりしなくなる。
なお、パッド材の周囲は縁布９によって包被して縫製してある。
【００１５】
敷きパッド１本体の底面７の四隅には、弾性材からなる帯状体（ゴムテープ）１０を隣接する二辺にわたって斜めに取付けてある。これにより、敷き布団やベッドのマットレスへの敷きパッド１の取付けが簡単に行え、また、布団やマットレスから敷きパッド１がずれることを防止でき、快適に使用できる。
【符号の説明】
【００１６】
１  敷きパッド
２  表地
２ａ  基布
２ｂ  起毛
３  中綿材
４  薄生地
５  アルミ蒸着布帛
６  キルティング
７  底面
８  熱
９  縁布
１０  帯状体（ゴムテープ）
【図１】
0003198961.tif 000003
【図２】
0003198961.tif 000004
【図３】
0003198961.tif 000005
【図４】
0003198961.tif 000006
(57)【要約】      （修正有）【課題】日本酒の酒瓶の開栓が容易にできる開栓オープナーを提供する。【解決手段】紙などの素材で長方形の薄板状本体１をつくりこの本体の一方に栓の入る穴２、他方に操作部を設ける。操作部を回動することにより、容易に開栓できる。操作部に指の入る穴３を設け、指を入れ引き上げるようにしてもよい。【選択図】図２
0003198962.tif 000002
【実用新案登録請求の範囲】
【請求項１】
紙などからなる長方形状の薄板状本体に、この本体の一方に栓の入る穴を設け、この穴に栓を入れ、前記本体の他方に操作部を設けたことを特徴とする開栓オープナー。
【請求項２】
前記本体の他方に設けた操作部に指の入る穴を設けたことを特徴とする請求項1記載の開栓オープナー。
【考案の詳細な説明】
【技術分野】
【０００１】
本考案は、日本酒の酒瓶の栓抜きに関する。
【背景技術】
【０００２】
日本酒の酒瓶の栓抜きは手で開けるのが主流であった。
【先行技術文献】
【特許文献】
【０００３】
【特許文献１】特開２００１−１７１７９２号公報
【考案の概要】
【考案が解決しようとする課題】
【０００４】
しかしながら、日本酒の酒瓶の栓を抜く開栓は容易ではなく手指が痛くなる程きついときもあり課題であった。
【課題を解決するための手段】
【０００５】
本考案は、日本酒の酒瓶の栓を抜く開栓を容易にする方法としての日本酒の酒瓶と栓の間に開栓用の器具を用いて解決を図った。紙などの薄板状の素材であればよく、このような材料を用いて長方形の薄板状本体をつくり、一方を栓の直径より少し大きめの穴を開け、他方は指の入る穴をあける。形状は使用に供する強度を持たせた形状であれば長方形にこだわらず、外形形状を美的感覚のある意匠性を持たせても機能を損なわない。また指の入る穴を必ずしも設けなくとも本考案は指ではさみ楽に開栓出来る。また強度のある紙は加工がし易く印刷なども容易である。また栓の径に合わせた紐や針金を環状にして絞め、一端を指で引く開栓もできる。以上栓を開けやすくするための手段である。    
【考案の効果】
【０００６】
本考案に係る開栓オープナーは薄板状本体一枚で、素材が単一、加工も容易である。栓を開栓オープナーの穴へ差し込み日本酒の酒瓶の口へ差して閉栓、開栓は開栓オープナー操作部を回動することにより容易に開栓できる。また一方に指穴を設けた部分に指を入れて引き上げるだけで容易に開栓できる。誰でも簡単に開栓出来る実用性に優れたものである。このため開栓が嫌いで日本酒離れした人のよびもどし、また開栓が楽しくなり日本酒人気も高まる可能性もある。さらに薄板状本体に印刷やデザイン化することで各種メッセージ、イベント情報の発信ができて業界活性化に貢献できるものである  
【図面の簡単な説明】
【０００７】
【図１】本考案の栓抜き穴と指穴のある開栓オープナーの平面図である。
【図２】本考案の開栓オープナーと栓の斜視図である。
【図３】本考案の開栓オープナーに栓を挿入した実施例斜視図である。
【図４】本考案の開栓オープナーに栓を挿入した正面図である。
【図５】本考案の開栓オープナーへ栓を挿入しビンに挿入した正面からの実施例図である
【図６】本考案の開栓オープナーの形状を徳利型とした平面図である。
【図７】本考案の開栓オープナーの形状を長方形型とした平面図である。
【図８】本考案の開栓オープナーの形状をプルトップ型とした平面図である。
【図９】本考案の開栓オープナーの第二の実施例として、紐、または針金を示す図である。
【図１０】図9のオープナーを栓体に装着した状態を示す図である。
【考案を実施するための形態】
【０００８】
図1、図2に示すように、紙などを用いたほぼ長方形をなす薄板状本体1に一方へ栓4の直径より大きめの穴2を設け、一方の端に指の入る穴3を設けて開栓オープナーとする。
【０００９】
図3に示すように、一度開栓した後、閉栓する際に栓4を開栓オープナーの穴２に挿入し、図３、図 4のように組む、そして図 ５のようにビン5の口6へ開栓オープナーと同時に栓4をする。
【００１０】
上記工程により本考案の開栓オープナーと日本酒の酒瓶5が一体になり使用可能となる。
【００１１】
次に栓4を開栓する場合、開栓オープナーの指穴3に指を入れ上に引くことで軽く開栓することが可能となる。  上記実施例ではオープナーを紙製のものについて説明したが、紙だけに限定されることはなく、薄板状の樹脂あるいは金属でも同様の作用効果が得られる。
【００１２】
しかし、清酒は最初、アルミなどで封印されており開栓オープナーは使用できない。開栓して2回目から考案の使用が出来る。
上記の問題を解決する手段として図9,図10,の紐15または針金などで 出荷時の封印前に栓4に取り付ける方法も考案した。
【００１３】
図6の徳利型、図7  長方形のシンプルタイプ、  図8プルトップ型いずれもデザイン性を加味したものである。  
【符号の説明】
【００１４】
１    薄板状本体    
２    栓用穴
３    指穴
４    栓
５    ビン
６    ビン口
７    徳利型薄板状本体
８    栓用穴
９    長方形型薄板状本体
１０  栓用穴  
１１  指穴
１２  栓用穴
１３  指穴
１４  プルトップ型薄板状本体
１５  紐
１６  締め付け具
【図１】
0003198962.tif 000003
【図２】
0003198962.tif 000004
【図３】
0003198962.tif 000005
【図４】
0003198962.tif 000006
【図５】
0003198962.tif 000007
【図６】
0003198962.tif 000008
【図７】
0003198962.tif 000009
【図８】
0003198962.tif 000010
【図９】
0003198962.tif 000011
【図１０】
0003198962.tif 000012
(57)【要約】      （修正有）【課題】喉に詰まった異物等を取り除く際、喉を傷つけることなく取り除くことができる他、除去された異物が、掃除機のホース内に流れ込まないようにする電気掃除機用喉異物除去具を提供する。【解決手段】本体１の一端に、軟質樹脂で形成したノズル部２、又は小ノズル部２ａを装着する。本体１の他端には、掃除機のホース口に接続する差込み部３を装着する。そして、本体１内に濾過具４を設け、吸い取った異物が掃除機のホースの方へ流れ込まないようにしている。【選択図】図３
0003198901.tif 000002
【実用新案登録請求の範囲】
【請求項１】
本体の一端に軟質樹脂で形成したノズル部又は小ノズル部を装着し、他端に差込み部を装着した本体内に、濾過具を設けた電気掃除機用喉異物除去具。
【考案の詳細な説明】
【技術分野】
【０００１】  本考案は、喉に異物が詰まった時等に利用する除去具に関する。
【背景技術】
【０００２】  喉に異物等が詰まった時、除去する方法としてハイムリック法、背部叩打法等がある。他の方法として、希に電気掃除機の細いノズルを代用して異物を除去したりしていた。この方法は、慌てたりするとノズルで喉を傷つける恐れがあった。又、吸い取った異物が掃除機のホース内に流れるので、掃除機を汚染する原因にもなっていた。
【考案の概要】
【考案が解決しようとする課題】
【０００３】  本考案は、喉を傷つけることなく異物を取り除くことができる他、掃除機のホース内に異物が流れないようにしたものである。
【課題を解決するための手段】
【０００４】  本考案は、軟質の樹脂等を利用してノズル部を作成し、ノズル部の交換により幼児から大人まで幅広く利用できるようにしたものである。又、本体内に濾過具を設けて、異物を掃除機のホース内に流れないようにしている。
【考案の効果】
【０００５】  本考案は、簡単な構造で喉の異物を安全に取り除くことができる。又、本体内に濾過具を設けており、吸い取った異物が本体内に納まるので、掃除機のホースの方に流れ込むこともなく、従って掃除機が汚染することもない。
【図面の簡単な説明】
【０００６】
【図１】  本考案の正面図である。
【図２】  図１の縦断面図である。
【図３】  本考案の分解斜視図である。
【考案を実施するための最良の形態】
【０００７】  本考案は、軟質樹脂で形成した大、小のノズル部を本体に装着できるようにしたもので、本体内には異物を受け止める濾過具も設置されている。
【実施例】
【０００８】  以下、図面について実施例を説明する。図１は本考案の正面図であり、図２はその縦断面図である。円筒型の本体１は直径６〜７ｃｍ前後が適当と思われる（本体１を持った時、それ以上大きくては持ち難いし、小さくては異物の収容量に余裕がなくなる）。【０００９】  本体１の一端にノズル部２を設け、他端には、電気掃除機のホース口への差込み部３を設ける。これら全体の長さは２５〜３０ｃｍ位が適当と思われる。【００１０】  図３は本考案の分解斜視図である。本体１及び差込み部３は硬質樹脂が適当と思われるが、ノズル部２は前述したように軟質樹脂で形成する。ノズル部２を軟質にしたのは、喉に差し入れたノズル部２の先端で異物を吸い取る時、喉を傷つけないようにするためのものである。ノズル部２の先端部付近は若干曲げられた形状となっている。これは、本体１を持って口に差入れる時に入れ易くしたものである。【００１１】  ノズル部２は、先端部をより小さく作成した小ノズル部２ａと交換して装着できるようにしてあり、幼児等の場合に使用し、その他の場合はノズル部２を使用すれば、幼児から大人まで利用することができる。【００１２】  本体１と差込み部３付近の内部に濾過具４が設けてある。濾過具４には多数の孔が設けてあり、吸い取った喉の異物がこの部分で止まるようになっている。濾過具４を設けたのは、吸い取った異物が掃除機のホース内に流れ込まないようにするためのものである。これは、ホース内に流れ込んだ異物（例えば餅等の小さな固まり）が、ホースの内側に付着する恐れがあり、付着した異物は取り除くことはできない。このような状態で長年掃除機を使用すると、その異物の表面に色々な病原菌が付着、発生する恐れがあり、やがて掃除機の空気出口から異臭が発生したり、病原菌を部屋にまき散らす可能性も起きてくる。【００１３】  濾過具４はそのような欠点を解消するためのもので、他の実施例として例えば２枚設けて、先に受け止める孔を大きくし、後の孔を細かくすれば効率が良くなると思われる。又、濾過具４は板状ではなく布製（ポリエステル系）のフィルターにすることも考えられるし、取り替え式のカートリッジにすることも考えられる。【００１４】  本体１とノズル部２、小ノズル部２ａ及び、本体１と差込み部３の接続部周縁は、一端を凹部、他端を凸部とし、差込み式、ねじ込み式等で接続する。又、濾過具４の固定方法は、止め片等を固着しての従来技術で対応できるので拡大しての説明を省略する。【００１５】  ノズル部２、小ノズル部２ａの曲がりの角度や長さがどれ位が最適か、又、ノズル部２、小ノズル部２ａの先端部の孔の大きさがどれ位が最適かは、専門家（咽喉科医）の助言で決めれば良いと思われる。【００１６】  使用方法は、本体１にノズル部２、又は小ノズル部２ａを装着し、差込み部３を電気掃除機のホースの先に接続する。掃除機のスイッチを入れた後、ノズル部２、又は小ノズル部２ａを喉に差入れ異物を吸い出す。異物が多くて一回で取り出せない場合、あるいは、ノズル部２、又は小ノズル部２ａの先端に異物が詰まっている場合は、口から抜き出して異物を手で取り除く。ノズル部２、又は小ノズル部２ａの先端部の中に詰まっている場合は、指で中に押し込めば吸引力で異物は本体１内に納まる。これを何回も繰り返せば、喉の異物を取り除くことができる。使用後は分解洗浄しておく。
【符号の説明】
【００１７】１  本体
２  ノズル部
２ａ  小ノズル部
３  差込み部
４  濾過具
【図１】
0003198901.tif 000003
【図２】
0003198901.tif 000004
【図３】
0003198901.tif 000005
(57)【要約】      （修正有）【課題】トランプのカード情報を電子機器で読み取ることができるようにするために、ＱＲコードが印刷してあるトランプを提供する。【解決手段】トランプのカードの数字とマーク１に加えてＱＲコード２を印刷し、ＷｅｂカメラやＱＲコードリーダーなどを通して電子機器でカード情報を読み取ることができるようする。【選択図】図１
0003198903.tif 000002
【実用新案登録請求の範囲】
【請求項１】
トランプのカードの数字とマークに加えてＱＲコードを印刷し、電子機器でカード情報を読み取ることができるトランプ。
【考案の詳細な説明】
【技術分野】
【０００１】      電子機器でトランプのカード情報を読み取ることができるように、トランプのカードにＱＲコードが印刷してあるものである。
【背景技術】
【０００２】      従来は、トランプのカードの数字とマークに加えてＱＲコードが印刷されているトランプは無かった。
【考案の概要】
【考案が解決しようとする課題】
【０００３】      無作為に選んだトランプのカード情報を電子機器にデータとして送る際、それを人が行うと人手と手間がかかるという問題があった。
【課題を解決するための手段】
【０００４】      電子機器でカード情報を読み取ることを可能にするために、トランプのカードの数字とマークに加えてＱＲコードを印刷したトランプを作成した。これにより、無作為に選んだトランプのカードをＷｅｂカメラやＱＲコードリーダーなどにかざすことで、そのカード情報を電子機器に送ることができる。
【考案の効果】
【０００５】      ＷｅｂカメラやＱＲコードリーダーなどにトランプのカードをかざすことで電子機器でカード情報を読み取ることができる。
【図面の簡単な説明】
【０００６】    トランプの数字とマークに加えてＱＲコードが印刷してある。
【図１】ＱＲコードトランプのオモテ面を示した図である。
【符号の説明】
【０００７】  １  トランプの数字とマーク
２  ＱＲコード
【図１】
0003198903.tif 000003